(57)【要約】【課題】現像剤の凝集を抑制することができる現像装置、及びそれを備えた画像形成装置を提供する。【解決手段】現像装置３ａ〜３ｄは、現像容器２２と、第２攪拌スクリュー４４と、を備える。現像容器２２は、第２搬送室２２ｄと、第２搬送室２２ｄの下流側端部に設けられる現像剤排出口２２ｈと、を有する。第２攪拌スクリュー４４は、第２螺旋羽根４４ａと、第２螺旋羽根４４ａによって搬送される現像剤を堰き止める円板５５と、第２螺旋羽根４４ａと逆方向に現像剤を搬送する規制部５２と、現像剤排出口２２ｈから現像剤を排出する排出羽根５３と、を備える。第２回転軸４４ｂは、第２螺旋羽根４４ａが設けられる大軸径部４４ｃと、規制部５２および排出羽根５３が設けられる小軸径部４４ｄと、大軸径部４４ｃおよび小軸径部４４ｄの境界に配置される軸径変化部４４ｅと、を有する。円板５５は、軸径変化部４４ｅから第２螺旋羽根４４ａの下流側端部までの間に配置されている。【選択図】図４
2018005030.tif 000002
【特許請求の範囲】
【請求項１】
互いに並列配置される第１搬送室、第２搬送室を含む複数の搬送室と、前記第１搬送室及び前記第２搬送室の長手方向の両端部側で前記第１搬送室及び前記第２搬送室を連通させる連通部と、現像剤を補給する現像剤補給口と、前記第２搬送室の下流側端部に設けられ、余剰の現像剤が排出される現像剤排出口と、を有し、キャリアとトナーとを含む二成分現像剤を収容する現像容器と、
第１回転軸と、該第１回転軸の外周面に形成される第１搬送羽根と、で構成され、前記第１搬送室内の現像剤を前記第１回転軸の軸方向に攪拌、搬送する第１攪拌部材と、
第２回転軸と、該第２回転軸の外周面に形成される第２搬送羽根と、で構成され、前記第２搬送室内の現像剤を前記第１攪拌部材と逆方向に攪拌、搬送する第２攪拌部材と、
前記現像容器に回転可能に支持され前記第２搬送室内の現像剤を表面に担持する現像剤担持体と、を備えた現像装置において、
前記第２攪拌部材は、
前記第２搬送室内の現像剤の搬送方向に対し前記第２搬送羽根の下流側に形成され、前記第２搬送室内の現像剤を前記第２搬送羽根と逆方向に搬送する搬送羽根で構成される規制部と、
前記第２搬送室内の現像剤の搬送方向に対し前記規制部の下流側に形成され、前記第２搬送羽根と同方向に現像剤を搬送して前記現像剤排出口から現像剤を排出する排出羽根と、
前記第２搬送室内の現像剤の搬送方向に対し前記規制部の上流側に形成され、前記第２搬送羽根によって搬送される現像剤を堰き止める堰き止め部材と、
を有し、
前記第２回転軸は、前記第２搬送羽根が設けられる大軸径部と、前記規制部および前記排出羽根が設けられ、前記大軸径部よりも小さい直径を有する小軸径部と、前記大軸径部および前記小軸径部の境界に配置される軸径変化部と、を有し、
前記堰き止め部材は、前記軸径変化部から前記第２搬送羽根の下流側端部までの間に配置されていることを特徴とする現像装置。
【請求項２】
前記軸径変化部は、前記第２回転軸の軸方向に沿って軸径が徐々に変化するテーパー形状に形成されていることを特徴とする請求項１に記載の現像装置。
【請求項３】
前記規制部は、前記第２搬送羽根よりも小さく前記排出羽根よりも大きい外径を有することを特徴とする請求項１または２に記載の現像装置。
【請求項４】
前記堰き止め部材は、前記第２搬送羽根以下で前記規制部以上の外径を有することを特徴とする請求項３に記載の現像装置。
【請求項５】
前記第２搬送室は、前記第２搬送羽根が配置され第１の内径を有する大内径部と、前記規制部が配置され前記第１の内径よりも小さく前記現像剤排出口の内径よりも大きい第２の内径を有する小内径部と、を有することを特徴とする請求項３または４に記載の現像装置。
【請求項６】
前記堰き止め部材は、前記大内径部内に配置されていることを特徴とする請求項５に記載の現像装置。
【請求項７】
前記規制部の外周部と前記小内径部の内周面との隙間は、前記第２搬送羽根の外周部と前記大内径部の内周面との隙間よりも大きいことを特徴とする請求項５または６に記載の現像装置。
【請求項８】
前記小軸径部の直径は前記大軸径部の直径に対して、３／４以上であることを特徴とする請求項１〜７のいずれか１項に記載の現像装置。
【請求項９】
前記堰き止め部材は、前記第２搬送室の下流側の前記連通部に対向する位置に形成されていることを特徴とする請求項１〜８のいずれか１項に記載の現像装置。
【請求項１０】
請求項１〜９のいずれか１項に記載の現像装置が搭載された画像形成装置。
【発明の詳細な説明】
【技術分野】
【０００１】
本発明は、電子写真方式を利用した複写機、プリンター、ファクシミリ、それらの複合機等の画像形成装置に用いる現像装置及びそれを備えた画像形成装置に関し、特に、トナーとキャリアとからなる二成分現像剤の補給を行うとともに余剰現像剤を排出する現像装置及びそれを備えた画像形成装置に関するものである。
【背景技術】
【０００２】
画像形成装置においては、感光体等からなる像担持体上に形成した潜像を、現像装置により現像しトナー像として可視化することを行っている。このような現像装置の一つとして、二成分現像剤を用いる二成分現像方式が採用されている。この種の現像装置は、現像容器内にキャリアとトナーとからなる二成分現像剤（以下、単に現像剤とも言う）を収容し、像担持体に現像剤を供給する現像ローラーを配設するとともに、現像容器内部の現像剤を搬送攪拌しながら現像ローラーへと供給する攪拌部材を配設している。
【０００３】
この現像装置では、トナーは現像動作によって消費されていく一方、キャリアは消費されずに現像装置内に残る。従って、現像容器内でトナーとともに攪拌されるキャリアは攪拌頻度が多くなるにつれて劣化し、その結果、トナーに対するキャリアの帯電付与性能が徐々に低下してしまう。
【０００４】
そこで、現像容器内にキャリアを含む現像剤を補給するとともに、余剰となった現像剤を排出することで、帯電性能の低下を抑制するようにした現像装置が提案されている。
【０００５】
例えば、特許文献１には、現像容器内にキャリアとトナーを補給するシステムにおいて、攪拌部材は、現像容器内の現像剤を搬送する第１搬送部と、第１搬送部の搬送方向に対し下流側に設けられ第１搬送部と逆方向に現像剤を搬送する逆向きの螺旋羽根から成る第２搬送部と、第２搬送部の搬送方向に対し上流側に設けられた円板部（堰き止め部材）と、第２搬送部の搬送方向に対し円板部の上流側に設けられ第１搬送部と同方向に現像剤を搬送して現像剤排出口から現像剤を排出する第３搬送部と、を備える現像装置が開示されている。
【０００６】
特許文献１の構成によれば、現像剤が現像容器内に補給されると、第１搬送部の回転により現像剤が攪拌されながら搬送室の下流側まで搬送される。第２搬送部の逆螺旋羽根が第１搬送部と同方向に回転すると、第１搬送部による搬送方向とは逆方向の搬送力が現像剤に付与される。この逆方向の搬送力によって、現像剤が塞き止められて嵩高となることから、余剰の現像剤が第２搬送部および円板部（堰き止め部材）を乗り越えて現像剤排出口に移動し外部へ排出される。
【０００７】
また、従来、現像剤を攪拌、搬送する攪拌部材として、現像剤を搬送する第１搬送部と、第１搬送部の搬送方向に対し下流側に設けられ第１搬送部によって搬送された現像剤を堰き止める円板部（堰き止め部材）と、を備えた現像装置が知られている。このような攪拌部材では、第１搬送部が設けられる大軸径部と、大軸径部よりも直径の小さい小径軸部と、大軸径部および小軸径部の境界に配置される軸径変化部と、を有する回転軸が用いられることがある。
【先行技術文献】
【特許文献】
【０００８】
【特許文献１】特開２０１５−１１１５８号公報
【発明の概要】
【発明が解決しようとする課題】
【０００９】
しかしながら、上記従来の攪拌部材では、例えば円板部が小径軸部のうちの軸径変化部近傍に設けられた場合、円板部と軸径変化部との間に窪みが形成される。このため、現像剤が窪みに滞留し、現像剤が凝集しやすくなってしまうという問題点がある。特に、上記従来の攪拌部材のように第１搬送部の下流側に隣接するように円板部が設けられている場合は、特許文献１のように第１搬送部と円板部との間に逆螺旋羽根が設けられている場合と異なり、第１搬送部によって円板部に搬送される現像剤の圧力が高いので、円板部近傍で現像剤が凝集しやすい。なお、現像剤が凝集すると、色点による画像不良が発生する。
【００１０】
本発明は、上記問題点に鑑み、現像剤の凝集を抑制することができる現像装置、及びそれを備えた画像形成装置を提供することを目的とする。
【課題を解決するための手段】
【００１１】
上記目的を達成するために本発明の第１の構成は、現像容器と、第１攪拌部材と、第２攪拌部材と、現像剤担持体と、を備えた現像装置である。現像容器は、互いに並列配置される第１搬送室、第２搬送室を含む複数の搬送室と、第１搬送室及び第２搬送室の長手方向の両端部側で第１搬送室及び第２搬送室を連通させる連通部と、現像剤を補給する現像剤補給口と、第２搬送室の下流側端部に設けられ、余剰の現像剤が排出される現像剤排出口と、を有し、キャリアとトナーとを含む二成分現像剤を収容する。第１攪拌部材は、第１回転軸と、第１回転軸の外周面に形成される第１搬送羽根と、で構成され、第１搬送室内の現像剤を第１回転軸の軸方向に攪拌、搬送する。第２攪拌部材は、第２回転軸と、第２回転軸の外周面に形成される第２搬送羽根と、で構成され、第２搬送室内の現像剤を第１攪拌部材と逆方向に攪拌、搬送する。現像剤担持体は、現像容器に回転可能に支持され第２搬送室内の現像剤を表面に担持する。第２攪拌部材は、規制部と、排出羽根と、堰き止め部材と、を有する。規制部は、第２搬送室内の現像剤の搬送方向に対し第２搬送羽根の下流側に形成され、第２搬送室内の現像剤を第２搬送羽根と逆方向に搬送する搬送羽根で構成される。排出羽根は、第２搬送室内の現像剤の搬送方向に対し規制部の下流側に形成され、第２搬送羽根と同方向に現像剤を搬送して現像剤排出口から現像剤を排出する。堰き止め部材は、第２搬送室内の現像剤の搬送方向に対し規制部の上流側に形成され、第２搬送羽根によって搬送される現像剤を堰き止める。第２回転軸は、第２搬送羽根が設けられる大軸径部と、規制部および排出羽根が設けられ、大軸径部よりも小さい直径を有する小軸径部と、大軸径部および小軸径部の境界に配置される軸径変化部と、を有する。堰き止め部材は、軸径変化部から第２搬送羽根の下流側端部までの間に配置されている。
【発明の効果】
【００１２】
本発明の第１の構成によれば、堰き止め部材は、軸径変化部から第２搬送羽根の下流側端部までの間に配置されている。これにより、堰き止め部材近傍に窪みが形成されるのを抑制することができるので、現像剤が窪みに滞留して現像剤が凝集するのを抑制することができる。このため、色点による画像不良が発生するのを抑制することができる。
【００１３】
なお、第２搬送羽根と現像剤を第２搬送羽根と逆方向に搬送する規制部との間に堰き止め部材を設ける場合、第２搬送羽根によって堰き止め部材に搬送される現像剤の圧力が高く、堰き止め部材近傍で現像剤が凝集しやすいので、本発明を適用することは特に効果的である。
【図面の簡単な説明】
【００１４】
【図１】本発明の現像装置３ａ〜３ｄが搭載された画像形成装置１００の概略断面図
【図２】本発明の一実施形態に係る現像装置３ａの側面断面図
【図３】本実施形態の現像装置３ａの攪拌部を示す平面断面図
【図４】図３における現像剤排出部２２ｈ周辺の拡大図
【図５】比較例の現像装置３ｂにおける現像剤排出部２２ｈ周辺の拡大図
【図６】軸径変化部４４ｅから第２螺旋羽根４４ａの下流側端部までの間（大軸径部４４ｃ）に円板５５を配置した現像装置３ｂ（本発明）と、小軸径部４４ｄのうちの軸径変化部４４ｅ近傍に円板５５を配置した現像装置３ｂ（比較例）とにおける、現像剤の凝集起因による色点の発生枚数を示すグラフ
【発明を実施するための形態】
【００１５】
以下、図面を参照しながら本発明の実施形態について説明する。図１は、本発明の現像装置３ａ〜３ｄが搭載された画像形成装置１００の概略断面図であり、ここではタンデム方式のカラープリンターについて示している。画像形成装置１００本体内には４つの画像形成部Ｐａ、Ｐｂ、Ｐｃ及びＰｄが、搬送方向上流側（図１では右側）から順に配設されている。これらの画像形成部Ｐａ〜Ｐｄは、異なる４色（シアン、マゼンタ、イエロー及びブラック）の画像に対応して設けられており、それぞれ帯電、露光、現像及び転写の各工程によりシアン、マゼンタ、イエロー及びブラックの画像を順次形成する。
【００１６】
これらの画像形成部Ｐａ〜Ｐｄには、各色の可視像（トナー像）を担持する感光体ドラム１ａ、１ｂ、１ｃ及び１ｄが配設されており、さらに駆動手段（図示せず）により図１において時計回り方向に回転する中間転写ベルト８が各画像形成部Ｐａ〜Ｐｄに隣接して設けられている。これらの感光体ドラム１ａ〜１ｄ上に形成されたトナー像が、各感光体ドラム１ａ〜１ｄに当接しながら移動する中間転写ベルト８上に順次転写された後、二次転写ローラー９において転写紙Ｐ上に一度に転写され、さらに、定着部７において転写紙Ｐ上に定着された後、装置本体より排出される。感光体ドラム１ａ〜１ｄを図１において反時計回り方向に回転させながら、各感光体ドラム１ａ〜１ｄに対する画像形成プロセスが実行される。
【００１７】
トナー像が転写される転写紙Ｐは、画像形成装置１００本体下部の用紙カセット内に収容されており、給紙ローラー及びレジストローラー対を介して二次転写ローラー９へと搬送される。また、二次転写ローラー９の下流側には中間転写ベルト８表面に残存するトナーを除去するためのブレード状のベルトクリーナー１９が配置されている。
【００１８】
次に、画像形成部Ｐａ〜Ｐｄについて説明する。回転可能に配設された感光体ドラム１ａ〜１ｄの周囲及び下方には、感光体ドラム１ａ〜１ｄを帯電させる帯電器２ａ、２ｂ、２ｃ及び２ｄと、各感光体ドラム１ａ〜１ｄに画像情報を露光する露光ユニット４と、感光体ドラム１ａ〜１ｄ上にトナー像を形成する現像装置３ａ、３ｂ、３ｃ及び３ｄと、感光体ドラム１ａ〜１ｄ上に残留した現像剤（トナー）を除去するクリーニング部５ａ、５ｂ、５ｃ及び５ｄが設けられている。
【００１９】
パーソナルコンピューター等の上位装置から画像形成開始が入力されると、先ず、帯電器２ａ〜２ｄによって感光体ドラム１ａ〜１ｄの表面を一様に帯電させ、次いで露光ユニット４によって光照射し、各感光体ドラム１ａ〜１ｄ上に画像信号に応じた静電潜像を形成する。現像装置３ａ〜３ｄには、それぞれシアン、マゼンタ、イエロー及びブラックの各色のトナーが補給装置（図示せず）によって所定量充填されている。このトナーは、現像装置３ａ〜３ｄにより感光体ドラム１ａ〜１ｄ上に供給され、静電的に付着することにより、露光ユニット４からの露光により形成された静電潜像に応じたトナー像が形成される。
【００２０】
そして、中間転写ベルト８に所定の転写電圧で電界が付与された後、一次転写ローラー６ａ〜６ｄにより感光体ドラム１ａ〜１ｄ上のシアン、マゼンタ、イエロー、及びブラックのトナー像が中間転写ベルト８上に転写される。その後、引き続き行われる新たな静電潜像の形成に備え、感光体ドラム１ａ〜１ｄの表面に残留したトナーがクリーニング部５ａ〜５ｄにより除去される。
【００２１】
中間転写ベルト８は、上流側の搬送ローラー１０と、下流側の駆動ローラー１１とを含む複数の張架ローラーに掛け渡されており、駆動モーター（図示せず）による駆動ローラー１１の回転に伴い中間転写ベルト８が時計回り方向に回転を開始すると、転写紙Ｐが所定のタイミングで中間転写ベルト８に隣接して設けられた二次転写ローラー９へ搬送され、フルカラー画像が転写される。トナー像が転写された転写紙Ｐは定着部７へと搬送される。
【００２２】
定着部７に搬送された転写紙Ｐは、定着ローラー対１３により加熱及び加圧されてトナー像が転写紙Ｐの表面に定着され、所定のフルカラー画像が形成される。フルカラー画像が形成された転写紙Ｐは、複数方向に分岐した分岐部１４によって搬送方向が振り分けられる。転写紙Ｐの片面のみに画像を形成する場合は、そのまま（或いは、反転搬送路１８に送られて両面印刷された後に）排出ローラー対１５によって排出トレイ１７に排出される。
【００２３】
図２は、画像形成装置１００に搭載される現像装置３ａの構成を示す側面断面図である。なお、ここでは図１の画像形成部Ｐａに配置される現像装置３ａについて説明するが、画像形成部Ｐｂ〜Ｐｄに配置される現像装置３ｂ〜３ｄの構成についても基本的に同様であるため説明を省略する。
【００２４】
図２に示すように、現像装置３ａは、二成分現像剤が収納される現像容器２２を備えている。現像容器２２は、現像ローラー２０を感光体ドラムに向けて露出させる開口２２ａが形成されており、仕切壁２２ｂによって第１及び第２搬送室２２ｃ、２２ｄに区画されている。第１及び第２搬送室２２ｃ、２２ｄには図示しないトナーコンテナから供給されるトナー（正帯電トナー）をキャリアと混合して攪拌し、帯電させるための第１攪拌スクリュー（第１攪拌部材）４３及び第２攪拌スクリュー（第２攪拌部材）４４から成る攪拌部材４２が回転可能に配設されている。
【００２５】
そして、第１攪拌スクリュー４３及び第２攪拌スクリュー４４によって現像剤が攪拌されつつ軸方向に搬送され、仕切壁２２ｂの両端に形成された連通部２２ｅ、２２ｆ（図３参照）を介して第１及び第２搬送室２２ｃ、２２ｄ間を循環する。図示の例では、現像容器２２は左斜め上方に延在しており、現像容器２２内において第２攪拌スクリュー４４の上方には磁気ローラー（現像剤担持体）２１が配置され、磁気ローラー２１の左斜め上方には現像ローラー２０が対向配置されている。そして、現像ローラー２０は現像容器２２の開口２２ａ側（図２の左側）において感光体ドラム１ａに対向しており、磁気ローラー２１及び現像ローラー２０は図２の時計回り方向に回転する。
【００２６】
なお、現像容器２２には、第１攪拌スクリュー４３と対面してトナー濃度センサー（図示せず）が配置されており、トナー濃度センサーで検知されるトナー濃度に応じて補給装置（図示せず）から現像剤補給口２２ｇを介して現像容器２２内にトナーが補給される。
【００２７】
磁気ローラー２１は、非磁性の回転スリーブ２１ａと、回転スリーブ２１ａに内包される複数の磁極を有する固定マグネット体２１ｂで構成されている。本実施形態では、固定マグネット体２１ｂの磁極は、主極３５、規制極（穂切り用磁極）３６、搬送極３７、剥離極３８、及び汲上極３９の５極構成である。磁気ローラー２１と現像ローラー２０とはその対面位置（対向位置）において所定のギャップをもって対向している。
【００２８】
また、現像容器２２には穂切りブレード２５が磁気ローラー２１の長手方向（図２の紙面と垂直な方向）に沿って取り付けられており、穂切りブレード２５は、磁気ローラー２１の回転方向（図２の時計回り方向）において、現像ローラー２０と磁気ローラー２１との対向位置よりも上流側に位置付けられている。そして、穂切りブレード２５の先端部と磁気ローラー２１の表面との間には僅かな隙間（ギャップ）が形成されている。
【００２９】
現像ローラー２０は、非磁性の現像スリーブ２０ａと、現像スリーブ２０ａ内に固定された現像ローラー側磁極２０ｂで構成されている。現像ローラー側磁極２０ｂは、固定マグネット体２１ｂの対向する磁極（主極）３５と異極性である。
【００３０】
前述のように、第１攪拌スクリュー４３及び第２攪拌スクリュー４４によって、現像剤が攪拌されつつ現像容器２２内を循環してトナーを帯電させ、第２攪拌スクリュー４４によって現像剤が磁気ローラー２１に搬送される。穂切りブレード２５には固定マグネット体２１ｂの規制極３６が対向するため、穂切りブレード２５として非磁性体或いは規制極３６と異なる極性の磁性体を用いることにより、穂切りブレード２５の先端と回転スリーブ２１ａとの隙間に引き合う方向の磁界が発生する。
【００３１】
この磁界により、穂切りブレード２５と回転スリーブ２１ａとの間に磁気ブラシが形成される。そして、磁気ローラー２１上の磁気ブラシは穂切りブレード２５によって層厚規制された後、現像ローラー２０に対向する位置に移動すると、固定マグネット体２１ｂの主極３５及び現像ローラー側磁極２０ｂにより引き合う磁界が付与されるため、磁気ブラシは現像ローラー２０表面に接触する。そして、磁気ローラー２１に印加される直流バイアスと現像ローラー２０に印加される直流バイアスとの電位差、及び磁界によって現像ローラー２０上にトナー薄層を形成する。
【００３２】
磁気ブラシによって現像ローラー２０上に形成されたトナー薄層は、現像ローラー２０の回転によって感光体ドラム１ａと現像ローラー２０との対向部分に搬送され、現像ローラー２０と感光体ドラム１ａとの間の電位差によってトナーが飛翔し、感光体ドラム１ａ上の静電潜像が現像される。
【００３３】
さらに回転スリーブ２０ａが時計回り方向に回転すると、今度は主極３５に隣接する異極性の剥離極３８により発生する水平方向（ローラー周方向）の磁界により磁気ブラシは現像ローラー２０表面から引き離され、現像に用いられずに残ったトナーが現像ローラー２０から回転スリーブ２１ａ上に回収される。さらに回転スリーブ２１ａが回転すると、固定マグネット体２１ｂの剥離極３８及びこれと同極性の汲上極３９により反発する磁界が付与されるため、トナーは現像容器２２内で回転スリーブ２１ａから離脱する。そして、第２攪拌スクリュー４４により攪拌、搬送された後、再び適正なトナー濃度で均一に帯電された二成分現像剤として汲上極３９により再び回転スリーブ２１ａ上に磁気ブラシを形成し、穂切りブレード２５へ搬送される。
【００３４】
次に、現像装置３ａの攪拌部の構成について詳細に説明する。図３は現像装置３ａの攪拌部を示す平面断面図（図２のＸＸ′矢視断面図）である。
【００３５】
現像容器２２には、前述のように、第１搬送室２２ｃと、第２搬送室２２ｄと、仕切壁２２ｂと、上流側連通部２２ｅ、下流側連通部２２ｆ及び現像剤補給口２２ｇが形成され、その他に、現像剤排出口２２ｈと、上流側壁部２２ｉ、及び下流側壁部２２ｊが形成されている。なお、第１搬送室２２ｃにおいて、図３の左側を上流側、図３の右側を下流側とし、また、第２搬送室２２ｄにおいて、図３の右側を上流側、図３の左側を下流側とする。従って、連通部及び側壁部は、第２搬送室２２ｄを基準として、上流及び下流と呼称している。
【００３６】
仕切壁２２ｂは、現像容器２２の長手方向に延びて第１搬送室２２ｃと第２搬送室２２ｄを並列させるように区画している。仕切壁２２ｂの長手方向の右側端部は、上流側壁部２２ｉの内壁部とともに上流側連通部２２ｅを形成し、一方、仕切壁２２ｂの長手方向の左側端部は、下流側壁部２２ｊの内壁部とともに下流側連通部２２ｆを形成している。そして現像剤は、第１搬送室２２ｃ、上流側連通部２２ｅ、第２搬送室２２ｄ、及び下流側連通部２２ｆ内を循環することが可能である。
【００３７】
現像剤補給口２２ｇは、現像容器２２の上部に設けられた現像剤補給容器（図略）から新たなトナー及びキャリアを現像容器２２内に補給するための開口であり、第１搬送室２２ｃの上流側（図３の左側）に配置される。
【００３８】
現像剤排出口２２ｈは、現像剤の補給によって、第１及び第２搬送室２２ｃ、２２ｄ内で余剰となった現像剤を排出するための開口であり、第２搬送室２２ｄの下流側で第２搬送室２２ｄの長手方向に連続して設けられる。
【００３９】
第１搬送室２２ｃ内には第１攪拌スクリュー４３が配設され、第２搬送室２２ｄ内には第２攪拌スクリュー４４が配設されている。
【００４０】
第１攪拌スクリュー４３は、第１回転軸４３ｂと、第１回転軸４３ｂに一体に設けられ、第１回転軸４３ｂの軸方向に一定のピッチで螺旋状に形成される第１螺旋羽根（第１搬送羽根）４３ａとを有する。また、第１螺旋羽根４３ａは、第１搬送室２２ｃの長手方向の両端部側まで延び、上流側及び下流側連通部２２ｅ、２２ｆにも対向して設けられている。第１回転軸４３ｂは現像容器２２の上流側壁部２２ｉと下流側壁部２２ｊに回転可能に軸支されている。
【００４１】
第２攪拌スクリュー４４は、第２回転軸４４ｂと、第２回転軸４４ｂに一体に設けられ、第２回転軸４４ｂの軸方向に第１螺旋羽根４３ａと同じピッチで第１螺旋羽根４３ａとは逆方向を向く（逆位相の）羽根で螺旋状に形成される第２螺旋羽根（第２搬送羽根）４４ａとを有する。また、第２螺旋羽根４４ａは、磁気ローラー２１の軸方向長さ以上の長さを有し、更に、上流側連通部２２ｅに対向する位置まで延びて設けられている。第２回転軸４４ｂは、第１回転軸４３ｂと平行に配置され、現像容器２２の上流側壁部２２ｉと下流側壁部２２ｊに回転可能に軸支されている。
【００４２】
また、第２回転軸４４ｂには、第２螺旋羽根４４ａとともに、規制部５２及び排出羽根５３が一体に配設されている。
【００４３】
規制部５２は、第２搬送室２２ｄ内に配置され、第２搬送室２２ｄ内で下流側に搬送された現像剤を塞き止め、且つ、所定量以上になった現像剤を現像剤排出口２２ｈに搬送することを可能にするものである。規制部５２は、第２回転軸４４ｂに設けられる螺旋羽根からなり、第２螺旋羽根４４ａと逆方向を向く（逆位相の）羽根で螺旋状に形成される。また、規制部５２は、第２螺旋羽根４４ａよりも小さく排出羽根５３よりも大きい外径を有し、第２螺旋羽根４４ａのピッチより小さく設定されている。また、規制部５２は、下流側壁部２２ｊ等の現像容器２２の内周面と規制部５２の外周部において所定の隙間を形成している。この隙間を通過して余剰の現像剤が現像剤排出口２２ｈに搬送されることになる。
【００４４】
第２回転軸４４ｂは現像剤排出口２２ｈ内まで延びている。現像剤排出口２２ｈ内の第２回転軸４４ｂには排出羽根５３が設けられている。排出羽根５３は、第２螺旋羽根４４ａと同じ方向を向く螺旋状の羽根からなるが、第２螺旋羽根４４ａよりピッチが小さく、また羽根の外径が小さくなっている。従って、第２回転軸４４ｂが回転すると、排出羽根５３も回転し、規制部５２を乗り越えて現像剤排出口２２ｈ内に搬送された余剰現像剤は、図３の左側に送られて、現像容器２２外に排出されるようになっている。なお、排出羽根５３、規制部５２、及び第２螺旋羽根４４ａは合成樹脂によって第２回転軸４４ｂと一体に成型される。
【００４５】
現像容器２２の外壁には、歯車６１〜６４が配設されている。歯車６１、６２は第１回転軸４３ｂに固着され、歯車６４は第２回転軸４４ｂに固着され、歯車６３は、現像容器２２に回転可能に保持されて、歯車６２、６４に噛合している。
【００４６】
新たに現像剤を補給していない現像時には、モーター等の駆動源によって、歯車６１が回転すると、第１回転軸４３ｂとともに第１螺旋羽根４３ａが回転し、第１螺旋羽根４３ａによって、現像剤は、第１搬送室２２ｃ内の現像剤を矢印Ｐ方向に搬送され、その後、上流側連通部２２ｅを通って第２搬送室２２ｄ内に搬送される。更に、第２回転軸４４ｂと連動する第２回転軸４４ｂとともに第２螺旋羽根４４ａが回転すると、第２螺旋羽根４４ａによって、現像剤は、第２搬送室２２ｄ内の現像剤を矢印Ｑ方向に搬送される。従って、現像剤は第１搬送室２２ｃから上流側連通部２２ｅを通って第２搬送室２２ｄ内に搬送され、規制部５２を乗り越えることなく、下流側連通部２２ｆを通って第１搬送室２２ｃに搬送される。
【００４７】
このように現像剤は、第１搬送室２２ｃから、上流側連通部２２ｅ、第２搬送室２２ｄ、及び下流側連通部２２ｆと循環しながら攪拌されて、攪拌された現像剤が磁気ローラー２１に供給される。
【００４８】
次に、現像剤補給口２２ｇから現像剤が補給される場合について説明する。現像によってトナーが消費されると、現像剤補給口２２ｇから第１搬送室２２ｃ内にキャリアを含む現像剤が補給される。
【００４９】
補給された現像剤は、現像時と同様に、第１螺旋羽根４３ａによって、第１搬送室２２ｃ内を矢印Ｐ方向に搬送され、その後、上流側連通部２２ｅを通って第２搬送室２２ｄ内に搬送される。更に、第２螺旋羽根４４ａによって、現像剤は、第２搬送室２２ｄ内の現像剤を矢印Ｑ方向に搬送される。第２回転軸４４ｂの回転にともなって規制部５２が回転すると、規制部５２によって、逆方向（矢印Ｐ方向）の搬送力が現像剤に付与される。この規制部５２によって現像剤が塞き止められて嵩高となり、余剰の現像剤が規制部５２を乗り越えて、現像剤排出口２２ｈを介して現像容器２２外に排出される。
【００５０】
次に、現像剤排出口２２ｈ周辺の構造について詳細に説明する。
【００５１】
図４に示すように、第２回転軸４４ｂは、大軸径部４４ｃと、大軸径部４４ｃよりも小さい直径を有する小軸径部４４ｄと、大軸径部４４ｃおよび小軸径部４４ｄの境界に配置される軸径変化部４４ｅと、を有する。大軸径部４４ｃには、第２螺旋羽根４４ａが設けられ、小軸径部４４ｄには、規制部５２および排出羽根５３が設けられている。すなわち、軸径変化部４４ｅは、第２螺旋羽根４４ａと規制部５２との間に設けられている。
【００５２】
小軸径部４４ｄの直径は大軸径部４４ｃの直径に対して、３／４以上である。すなわち、大軸径部４４ｃの直径が例えば８ｍｍの場合、小軸径部４４ｄの直径は６ｍｍ以上である。軸径変化部４４ｅは、下流側連通部２２ｆに対向する位置に配置されているとともに、第２回転軸４４ｂの軸方向に沿って軸径が徐々に変化するテーパー形状に形成されている。
【００５３】
第２搬送室２２ｄは、第２螺旋羽根４４ａが配置され第１の内径を有する大内径部２２ｋと、規制部５２が配置され第１の内径よりも小さく現像剤排出口２２ｈの内径よりも大きい第２の内径を有する小内径部２２ｌと、を有する。
【００５４】
規制部５２の外周部と小内径部２２ｌの内周面との隙間は、第２螺旋羽根４４ａの外周部と大内径部２２ｋの内周面との隙間、及び排出羽根５３の外周部と現像剤排出口２２ｈの内周面との隙間よりも大きい。なお、本実施形態では、第２螺旋羽根４４ａの外周部と大内径部２２ｋの内周面との隙間は、排出羽根５３の外周部と現像剤排出口２２ｈの内周面との隙間と同じ大きさに形成されている。
【００５５】
また、第２攪拌スクリュー４４は、第２螺旋羽根４４ａと規制部５２との間に円板（堰き止め部材）５５が配置されている。円板５５は、第２螺旋羽根４４ａ、規制部５２、及び排出羽根５３と共に合成樹脂によって第２回転軸４４ｂと一体に成型される。
【００５６】
円板５５は、第２回転軸４４ｂの全周に亘って径方向に突出するとともに、第２螺旋羽根４４ａによって搬送される現像剤を堰き止める。円板５５は、軸径変化部４４ｅから第２螺旋羽根４４ａの下流側端部までの間（大軸径部４４ｃ）に配置されており、ここでは、軸径変化部４４ｅの第２螺旋羽根４４ａ側の端部に連続して形成されている。
【００５７】
円板５５は、第２螺旋羽根４４ａ以下で規制部５２以上の外径を有する。また、円板５５は、大内径部２２ｋ内に配置されているとともに、下流側連通部２２ｆに対向する位置に配置されている。
【００５８】
本発明の構成によれば、第２螺旋羽根４４ａによって矢印Ｑ方向に搬送される現像剤の搬送力が円板５５により塞き止められて一旦弱められる。そして、規制部５２により現像剤に逆方向の搬送力が付与されて現像剤を矢印Ｐ方向に押し戻す。即ち、円板５５は第２搬送室２２ｄから規制部５２に向かう現像剤の搬送力（圧力）を低減するバッファーの役割を果たしている。また、第２攪拌スクリュー４４の回転数が多ければ多いほど円板５５によるバッファー効果（減速効果）は大きくなり、規制部５２を通過する現像剤の速度と量が第２攪拌スクリュー４４の回転数（現像剤搬送速度）に依存し難くなる。
【００５９】
さらに、円板５５を下流側連通部２２ｆに対向する位置に設けることで、第１攪拌スクリュー４３側へ移動する現像剤量と、規制部５２を通過する現像剤量とを調整する役目を果たしており、それは円板５５を設置する位置と円板５５の大きさ（直径や厚さ）によって調整することができる。
【００６０】
なお、円板５５の外径が規制部５２を構成する逆巻きの螺旋羽根の外径よりも小さい場合、円板５５のバッファー効果（減速効果）が不十分となり、第２螺旋羽根４４ａによって搬送されてくる現像剤が規制部５２へ容易に移動してしまう。従って、円板５５の外径は規制部５２を構成する逆巻きの螺旋羽根の外径以上であることが好ましい。
【００６１】
そして、現像剤補給口２２ｇから現像剤が補給され、現像容器２２内の現像剤の嵩が増加すると、円板５５により圧力が低減され、規制部５２付近の現像剤が規制部５２を乗り越えて排出羽根５３（現像剤排出口２２ｈ）に移動し、現像剤排出口２２ｈから余剰の現像剤が排出される。
【００６２】
本実施形態では、上記のように、円板５５は、軸径変化部４４ｅから第２螺旋羽根４４ａの下流側端部までの間に配置されている。これにより、円板５５近傍に窪みが形成されるのを抑制することができるので、現像剤が窪みに滞留して現像剤が凝集するのを抑制することができる。このため、凝集した現像剤（及びトナー）が磁気ローラー２１を介して現像ローラー２０に付着し、色点による画像不良が発生するのを抑制することができる。
【００６３】
なお、第２螺旋羽根４４ａと現像剤を第２螺旋羽根４４ａと逆方向に搬送する規制部５２との間に円板５５を設ける場合、第２螺旋羽根４４ａによって円板５５に搬送される現像剤の圧力が高く、円板５５近傍で現像剤が凝集しやすいので、本発明を適用することは特に効果的である。
【００６４】
また、規制部５２を小軸径部４４ｄに設けることによって、規制部５２を大軸径部４４ｃに設ける場合に比べて、規制部５２の外径（第２回転軸４４ｂの外周面からの突出量）の設計幅を大きくすることができる。
【００６５】
また、上記のように、軸径変化部４４ｅは、第２回転軸４４ｂの軸方向に沿って軸径が徐々に変化するテーパー形状に形成されている。これにより、第２回転軸４４ｂの軸径を徐々に変化させることができるので、規制部５２によって逆方向に搬送される現像剤が軸径変化部４４ｅの段差部分で滞留しない。その結果、現像剤を軸径変化部４４ｅに沿って径方向外側（円板５５の外周部側）にスムーズに拡散させることができる。
【００６６】
また、上記のように、規制部５２は、第２螺旋羽根４４ａよりも小さい外径を有する。これにより、規制部５２の表面積が大きくなりすぎて逆方向への現像剤搬送力が大きくなりすぎるのを抑制することができる。
【００６７】
また、上記のように、第２搬送室２２ｄは、第２螺旋羽根４４ａが配置され第１の内径を有する大内径部２２ｋと、規制部５２が配置され第１の内径よりも小さく現像剤排出口２２ｈの内径よりも大きい第２の内径を有する小内径部２２ｌと、を有する。これにより、規制部５２の外周部と現像容器２２の内周面との間の隙間が大きくなりすぎるのを抑制することができ、現像剤排出口２２ｈに移動する現像剤量を適正にすることができる。
【００６８】
また、現像剤排出口２２ｈは第２搬送室２２ｄよりも小さい内径を有し、軸径変化部４４ｅは第２螺旋羽根４４ａと規制部５２との間に配置されている。これにより、軸径変化部４４ｅが規制部５２と排出羽根５３との間に配置される場合と異なり、大軸径部４４ｃが現像剤排出口２２ｈの近傍にまで配置されるのを防止することができる。このため、第２攪拌スクリュー４４の第２回転軸４４ｂの外周面と現像剤排出口２２ｈの上流側の開口部との間の隙間が狭くなるのを抑制することができるので、現像剤が凝集するのをより抑制することができる。
【００６９】
円板５５は、大内径部２２ｋ内に配置されている。これにより、円板５５の外周部と第２搬送室２２ｄの内周面との隙間が狭くなるのを抑制することができるので、現像剤が凝集するのをより抑制することができる。
【００７０】
また、上記のように、小軸径部４４ｄの直径は大軸径部４４ｃの直径に対して、３／４以上である。これにより、小軸径部４４ｄの直径が小さくなりすぎて規制部５２の表面積が大きくなりすぎるのを抑制することができるので、第２攪拌スクリュー４４の回転トルクの増大を抑制することができる。
【００７１】
その他本発明は、上記実施形態に限定されず、本発明の趣旨を逸脱しない範囲で種々の変更が可能である。例えば、本発明は図２に示したような磁気ローラー２１と現像ローラー２０を備えた現像装置に限定されるものではなく、トナーとキャリアとを含む二成分現像剤を用いる種々の現像装置に適用可能である。例えば、上記実施形態では現像容器２２内の現像剤循環経路として、互いに並列配置される第１搬送室２２ｃと第２搬送室２２ｄとを備えた２軸搬送式の現像装置について説明したが、磁気ローラー２１から引き剥がされた現像剤を回収して第２搬送室２２ｄに合流させる回収搬送室を備えた３軸搬送式の現像装置にも適用可能である。
【００７２】
また、上記実施形態では、第１回転軸４３ｂ、第２回転軸４４ｂの外周面にそれぞれ第１螺旋羽根４３ａ、第２螺旋羽根４４ａが連続的に設けられた第１搬送スクリュー４３、第２搬送スクリュー４４を用いているが、現像剤を搬送する搬送羽根は螺旋羽根に限定されず、例えば複数の半月状板体（円形の板を２分割したもの）を、第１回転軸４３ｂ、第２回転軸４４ｂの外周面に所定の傾斜角度で交互に配設した攪拌搬送部材を用いても良い。
【００７３】
また、上記実施形態では、堰き止め部材として円板５５を設けたが、堰き止め部材として例えば多角形状の部材を設けてもよい。
【００７４】
また、本発明は図１に示したタンデム式のカラープリンターに限らず、デジタル或いはアナログ方式のモノクロ複写機、モノクロプリンター、カラー複写機、ファクシミリ等、二成分現像方式を用いた種々の画像形成装置に適用可能である。以下、実施例により本発明の効果について更に具体的に説明する。
【実施例】
【００７５】
図１に示すような画像形成装置１００において、円板５５の配置位置を変化させた場合の現像剤の凝集起因による色点の発生枚数の変化について調査した。なお、試験は感光体ドラム１ｂ及び現像装置３ｂを含むマゼンタの画像形成部Ｐｂにおいて行った。
【００７６】
試験方法としては、図４に示したような、軸径変化部４４ｅから第２螺旋羽根４４ａの下流側端部までの間（大軸径部４４ｃ）に円板５５を配置した現像装置３ｂを本発明とした。また、図５に示すように、小軸径部４４ｄのうちの軸径変化部４４ｅ近傍に円板５５を配置した現像装置３ｂを比較例とした。なお、比較例では、円板５５と軸径変化部４４ｅとの間に窪みＤが形成されている。
【００７７】
本発明及び比較例に用いる第２攪拌スクリュー４４の第２螺旋羽根４４ａは、外径１８ｍｍ、ピッチ３０ｍｍの螺旋羽根であり、第２螺旋羽根４４ａの外周部と大内径部２２ｋの内周面との隙間（クリアランス）は１．０ｍｍである。また、規制部５２は、外径１２ｍｍ、ピッチ５ｍｍの２枚の逆巻き（逆位相）の螺旋羽根で構成されており、規制部５２の外周部と小内径部２２ｌの内周面との隙間は１．５ｍｍである。排出羽根５３は、外径８ｍｍ、ピッチ５ｍｍの螺旋羽根であり、排出羽根５３の外周部と現像剤排出口２２ｈの内周面との隙間は１．０ｍｍである。大軸径部４４ｃの直径は８ｍｍであり、小軸径部４４ｄの直径は６ｍｍである。
【００７８】
円板５５は、外径１７ｍｍであり、円板５５の外周部と大内径部２２ｋの内周面との隙間は１．５ｍｍである。
【００７９】
本発明及び比較例の現像装置３ｂの現像容器２２に、それぞれ平均粒子径６．７μｍの正帯電性トナーとフェライトキャリアとを含む現像剤２７０ｇを充填し、第１攪拌スクリュー４３および第２攪拌スクリュー４４の回転速度を３００ｒｐｍに固定し、印字率２０％で２００００枚連続印字後、印字率０％で１００枚印字し、現像剤の凝集起因による色点の発生枚数を目視により調査した。なお、この試験では、現像剤の凝集が発生しやすいように高温高湿環境下（３２．５℃、８０％）で低融点のトナーを用い、トナー濃度（Ｔ／Ｃ）を８％とした。そして、本発明及び比較例について３回ずつ試験を行った。結果を図６に示す。
【００８０】
図６から明らかなように、本発明の現像装置３ｂでは、比較例の現像装置３ｂに比べて色点の発生枚数が減少している。これは、本発明の現像装置３ｂでは、軸径変化部４４ｅから第２螺旋羽根４４ａの下流側端部までの間（大軸径部４４ｃ）に円板５５を配置することで、円板５５近傍に窪みが形成されるのを抑制することができ、現像剤が窪みに滞留して現像剤が凝集するのを抑制することができるため、色点による画像不良が発生するのを抑制する効果があるためと考えられる。
【００８１】
以上の結果より、軸径変化部４４ｅから第２螺旋羽根４４ａの下流側端部までの間（大軸径部４４ｃ）に円板５５を配置した本発明の現像装置３ｂでは、現像剤が窪みに滞留して現像剤が凝集するのを抑制することができるため、色点による画像不良が発生するのを効果的に抑制することができることが確認された。
【産業上の利用可能性】
【００８２】
本発明は、トナーとキャリアとからなる二成分現像剤の補給を行うとともに余剰現像剤を排出する現像装置及びそれを備えた画像形成装置に利用することができる。本発明の利用により、現像剤の凝集を抑制することができる現像装置を提供することができる。
【符号の説明】
【００８３】
３ａ〜３ｄ            現像装置
２１                  磁気ローラー（現像剤担持体）
２２                  現像容器
２２ｃ                第１搬送室
２２ｄ                第２搬送室
２２ｅ                上流側連通部（連通部）
２２ｆ                下流側連通部（連通部）
２２ｇ                現像剤補給口
２２ｈ                現像剤排出口
２２ｋ                大内径部
２２ｌ                小内径部
４３                  第１攪拌スクリュー（第１攪拌部材）
４３ａ                第１螺旋羽根（第１搬送羽根）
４３ｂ                第１回転軸
４４                  第２攪拌スクリュー（第２攪拌部材）
４４ａ                第２螺旋羽根（第２搬送羽根）
４４ｂ                第２回転軸
４４ｃ                大軸径部
４４ｄ                小軸径部
４４ｅ                軸径変化部
５２                  規制部
５３                  排出羽根
５５                  円板（堰き止め部材）
１００                画像形成装置
【図１】
2018005030.tif 000003
【図２】
2018005030.tif 000004
【図３】
2018005030.tif 000005
【図４】
2018005030.tif 000006
【図５】
2018005030.tif 000007
【図６】
2018005030.tif 000008